(57)【要約】【課題】  単一の源から、冷水、温水、および調製されたコーヒーを得ることが可能なコーヒーおよび水のディスペンサを提供する。【解決手段】  コーヒーおよび飲料水の両方を提供するために使用されるコーヒーおよび水のディスペンサが開示される。コーヒーおよび水のディスペンサは、水ディスペンサと、水ディスペンサに取り付けられた調製部とを有している。水ディスペンサは、水ディスペンス部と受容空間部とを備えた本体を有している。調製部は、受容空間部に取り付けられており、水ディスペンサの温水ディスペンス通路に接続されている。【選択図】            図１
2005224596.tif 000002
【特許請求の範囲】
【請求項１】
飲料水およびコーヒーを提供するために使用されるコーヒーおよび水のディスペンサであって、
水ディスペンス部と受容空間部とを備えた本体を含む水ディスペンサと、
前記水ディスペンサの受容空間部に取り付けられ、前記水ディスペンサの温水ディスペンス通路に接続される調製器と、
を有するディスペンサ。
【請求項２】
前記調製器はコーヒーメーカーを含む請求項１に記載のディスペンサ。
【請求項３】
前記調製器はお茶メーカーを含む請求項１に記載のディスペンサ。
【請求項４】
前記調製器は、水ディスペンサに回動可能に取り付けられる請求項１に記載のディスペンサ。
【請求項５】
前記調製器は、容器と、容器に設置されるフィルタと、調製器への温水供給を制御するためのコントロールパネルとを含む請求項１に記載のディスペンサ。
【請求項６】
前記容器は、内部の液体のレベルを観察するためのウインドウを含む請求項５に記載のディスペンサ。
【請求項７】
前記容器はディスペンス出口を含む請求項５に記載のディスペンサ。
【請求項８】
前記フィルタはメッシュを含む請求項５に記載のディスペンサ。
【請求項９】
前記メッシュは、金属、プラスチック、または紙から作られている請求項８に記載のディスペンサ。
【請求項１０】
前記コントロールパネルは、前記調製器と温水通路との間の接続を手動で制御するためのコントロールボタンを含む請求項９に記載のディスペンサ。
【請求項１１】
前記コントロールパネルは、前記調製器と温水通路との間の接続の自動制御を働かせるためのコントロールボタンを含む請求項９に記載のディスペンサ。
【請求項１２】
前記本体は、水ディスペンス部において、冷水出口および温水出口をさらに有する請求項１に記載のディスペンサ。
【請求項１３】
前記冷水出口および前記温水出口は、それぞれウォータバルブを含む請求項１に記載のディスペンサ。
【請求項１４】
前記調製器に直接接続される温水タンクをさらに有する請求項１に記載のディスペンサ。
【請求項１５】
前記水ディスペンス部と前記調製器とに通路を経て接続される温水タンクをさらに有する請求項１に記載のディスペンサ。
【発明の詳細な説明】
【技術分野】
【０００１】
本発明は、コーヒーおよび水のディスペンサに関し、特に、冷水および温水を支給し、コーヒーを入れるように機能するディスペンサに関する。
【背景技術】
【０００２】
工業化の過程において、水質汚染は、常に、人間の健康に重大な影響を及ぼす課題である。したがって、現代社会において、水飲み器または水ディスペンサによって処理される冷水および温水は、我々の日常生活における飲料水の主要な出所になった。
【０００３】
最近、コーヒーは、ますます我々の日常生活において普及するようになった。過去において、アルコールランプが新しく入れられるコーヒーを準備するために使用された。アルコールランプの調製プロセスは、長くて退屈であり作動中に危険であるため、自動の電気的なコーヒー調整器（coffee brewer）が開発され、伝統的なアルコールランプコーヒー調整器に取って代わっている。
【発明の開示】
【発明が解決しようとする課題】
【０００４】
しかしながら、水ディスペンサとコーヒー調整器とは、概して、異なる目的のために使用される２台の個々の機器である。したがって、２つの個々のスペースが、これらの装置の両方を備えるために必要となるという問題があった。
【０００５】
上述したような従来の個々の水ディスペンサおよびコーヒー調整器によって生じる課題を解決するため、本出願人は、この分野における長年の経験により、以下に記載されているようなコーヒーおよび水のディスペンサを開発したものである。
【０００６】
そこで、本発明の目的は、単一の源から、冷水、温水、および調製されたコーヒーを得ることが可能なコーヒーおよび水のディスペンサを提供することである。
【課題を解決するための手段】
【０００７】
本発明は、水ディスペンサとコーヒー調製器とを統合した機器を提供するものである。
【０００８】
本発明によって提供される機器は、水ディスペンサと水ディスペンサの水ディスペンス部に取り付けられた調製器とを有しており、コーヒー豆の粉が調製器に入れられて水ディスペンサの温水によって調製され得る。
【０００９】
ここに記載されている目的および他の目的は、以下の好ましい実施形態の詳細な説明を読んだ後、当業者にとって明らかとなる。
【００１０】
上述した概略の説明および以下の詳細な説明は例示的なものであり、特許請求の範囲に記載された発明のさらなる説明を提供することを意図していることが理解されるべきである。
【００１１】
上述した本発明の特徴は、本発明の他の特徴と同様に、図面を参照してより明瞭となる。
【発明の効果】
【００１２】
本発明によれば、水ディスペンサとコーヒー調製器とを統合した機器を提供することができる。それにより、単一の源から、冷水、温水、および調製されたコーヒーを得ることが可能となる。したがって、ユーザは、コーヒーを調製するために水を機器に入れる必要がない。
【発明を実施するための最良の形態】
【００１３】
以下、本発明の好ましい実施形態について詳細に説明する。その例が添付の図面に示されている。可能な場合には、同じ参照番号が、同一または類似の部分を言及するために、図面および説明において使用される。
【００１４】
本発明の好ましい実施形態を例示する目的のみのためのものであって、本発明を限定するためのものでない図面を参照する。図１および図２に示すように、本発明は、冷水および温水（熱水を含む）を提供するための水ディスペンサ１と、コーヒーを入れる（調製する）ための調製器２とを含むコーヒーおよび水のディスペンサを提供する。
【００１５】
水ディスペンサ１は、本体１１と、本体１１に取り付けられる水貯蔵容器１２とを有している。水貯蔵容器１２は、本体１１に固定されているか、あるいは本体１１に対して着脱可能である。本体１１は、冷水ディスペンス出口１４および温水ディスペンス出口１５を有する水ディスペンス部１３を含んでいる。冷水ディスペンス出口１４および温水ディスペンス出口１５はウォータバルブなどを含む。水ディスペンス部１３はさらに、受容空間部１６と、調製器２を水ディスペンサ１に取り付けるための制御および接続構造部２３とを有している。
【００１６】
調製器２は、容器２１と、フィルタ２２とを含む。図示のように、容器２１は、好ましくは、ユーザが容器２１内の水または液体のレベルを観察することが可能なウインドウ２１１を含む。容器２１はさらに、容器２１の上端縁から突出するピボット２１２を有しており、制御および接続構造部２３は、ピボット２１２を内部に受けるためのピボット穴１７を含んでいる。したがって、容器２１は、ピボット２１２およびピボット穴１７のまわりで水平に回動することができる。容器２１の底部は、コーヒーディスペンス出口２１４として機能する開口部を含む。このようにして、ユーザは、受容空間部１６におけるコーヒーディスペンス出口２１４の下にカップを置いてコーヒーを受けることができる。
【００１７】
フィルタ２２は、容器２１の内部に配置される金属、プラスチック、または紙から作られたメッシュを含む。コーヒーの粉が、調製されるためにフィルタ２２に加えられる。
【００１８】
制御および接続構造部２３は、好ましくは、水ディスペンス部１３の上方に配置される。そのため、水ディスペンサ１によって加熱を含む処理がなされた温水が容器２１内に流入され得る。コーヒー調製器２への温水供給は、手動でまたは電子的に制御され得る。コントロールパネルが、制御および接続構造部２３に形成されることができる。コントロールパネルは、好ましくは、調製器２と温水通路との間の接続を手動で制御するためのコントロールボタンを含む。また、コントロールパネルは、好ましくは、調製器２と温水通路との間の接続の自動制御を働かせるためのコントロールボタンを含む。
【００１９】
図３および図４は、コーヒーおよび水のディスペンサの操作状況および正面図を示す。図示のように、冷水ディスペンス出口１４または温水ディスペンス出口１５の下にカップ３を置くことによって、カップ３は、冷水ディスペンス出口１４または温水ディスペンス出口１５のハンドルを押圧することにより冷水または温水で満たされ得る。
【００２０】
カップ３をコーヒーで満たすために、容器２１上に形成される押しボタン２１３が、容器２１を開放するために押圧される。コーヒー豆の粉は、容器２１のフィルタ２２に加えられることができ、そして、容器２１は、受容空間部１６に押し戻される。そして、制御および接続構造部２３が作動されて、手動または自動的に温水がフィルタ２２を通って容器２１に流入するように制御される。コーヒーディスペンス出口２１４の下にカップ３を置くことによって、ユーザはカップ３をコーヒーで満たすことができる。
【００２１】
図５は、水ディスペンサ１の内部構造を示す。水貯蔵容器１２が水ディスペンサ１上に取り付けられるとき、水貯蔵容器１２内の水は、冷水タンク４に導入される。エバポレータ５が冷水タンク４の周辺に取り付けられ、送りチューブ４１への氷水（低温度の水）の出力を生み出すことができる。別の送りチューブ４２は、冷水を温水タンク６に運ぶように働く。そして、温水タンク６によって加熱される水は、送りチューブ６１または６２を経て、それぞれ温水ディスペンス出口１５、または制御および接続構造部２３に出力される。制御および接続構造部２３のコントロールパネルを調整することによって、温水は、ウォータスイッチ６３を通って、コーヒーを調製するための調製器２に注入されることができる。
【００２２】
図６は、水ディスペンサ１の他の実施形態の内部構造を示す。図示のように、小さな温水タンク７が、水ディスペンサ１に取り付けられることができる。ウォータスイッチ６３を送りチューブ４２と小さな温水タンク７とに直接接続することによって、冷水タンク４内の冷水は、小さな温水タンク７に直接入れられて、調製器２に注入される前に加熱を含む処理がなされる。したがって、コーヒー調製器２に供給される温水は、温水ディスペンス出口１５に供給される温水と異なるものである。
【００２３】
コーヒーおよび水ディスペンサは、床上あるいはカウンター上の水ディスペンサに適用されることができる。さらに、コーヒー調製器２は、コーヒーメーカーとして使用されるが、コーヒーを作る代わりに、お茶メーカーとしてお茶を入れるために使用されることもできる。
【００２４】
本開示は、本発明の代表的な実施形態を提供する。本開示の範囲は、これらの代表的な実施形態によって限定されるものではない。明細書によって明示的に提供されるかあるいは明細書によって導かれるかされる、例えば形状、構造、寸法、材料の種類、製造プロセスにおける変更などの多くの変更が、本開示からみて、当業者によって実施され得る。
【図面の簡単な説明】
【００２５】
【図１】本発明によって提供されるコーヒーおよび水のディスペンサの部分的に分解した斜視図である。
【図２】コーヒーおよび水のディスペンサの斜視図である。
【図３】コーヒーおよび水のディスペンサの操作状態を示す。
【図４】コーヒーおよび水のディスペンサの正面図である。
【図５】コーヒーおよび水のディスペンサの内部構造を示す。
【図６】本発明の他の実施形態にかかるコーヒーおよび水のディスペンサの内部構造を示す。
【図７】図６に示されるコーヒーおよび水のディスペンサの斜視図である。
【符号の説明】
【００２６】
１    水ディスペンサ、
２    調製器、
３    カップ、
４    冷水タンク、
５    エバポレータ、
６，７    温水タンク、
１１    本体、
１２    水貯蔵容器、
１３    水ディスペンス部、
１４    冷水ディスペンス出口、
１５    温水ディスペンス出口、
１６    受容空間部、
１７    ピボット穴、
２１    容器、
２２    フィルタ、
２３    制御および接続構造部、
４１，４２，６１    チューブ、
６３    ウォータスイッチ、
２１１    ウインドウ、
２１２    ピボット、
２１３    押しボタン、
２１４    コーヒーディスペンス出口。
【図１】
2005224596.tif 000003
【図２】
2005224596.tif 000004
【図３】
2005224596.tif 000005
【図４】
2005224596.tif 000006
【図５】
2005224596.tif 000007
【図６】
2005224596.tif 000008
【図７】
2005224596.tif 000009